(57)【要約】【課題】複数段の棚板上に陳列された、店頭商品の残数量や、商品種別などを適宜に確認できるオープンショーケースを提供する。【解決手段】複数段の棚板２１上に商品を陳列し、前記商品を陳列した陳列室１５内を照明するＬＥＤ照明灯（照明器）２４を備えたオープンショーケース１において、少なくとも陳列室１５内の複数段の各棚板２１の前端領域を撮影可能なカメラ５１を備えた。【選択図】図２
2019136316.tif 000002
【特許請求の範囲】
【請求項１】
複数段の棚板上に商品を陳列し、前記商品を陳列した陳列室内を照明する照明器を備えたオープンショーケースにおいて、
少なくとも前記陳列室内の複数段の各棚板の前端領域を撮影可能なカメラを備えた
ことを特徴とするオープンショーケース。
【請求項２】
前記照明器をキャノピの内側に備え、
前記カメラは、前記キャノピの下端部、または、前記キャノピの内側に設けられ、前記照明器が照明する陳列室内を撮影する
ことを特徴とする請求項１に記載のオープンショーケース。
【請求項３】
前記キャノピは、前壁と、後壁と、天壁と、を備え、
前記照明器を、前記キャノピの前壁または天壁に備え、
前記カメラを、前記照明器よりも前方に備えたことを特徴とする請求項２に記載のオープンショーケース。
【請求項４】
前記照明器が、前記キャノピの内側に複数本配置され、
前記カメラが、複数本の照明器の間に配置されることを特徴とする請求項２又は３に記載のオープンショーケース。
【請求項５】
前記カメラが、角度調整が自在の固定金具により前記キャノピに固定されていることを特徴とする請求項２乃至４の何れか一項に記載のオープンショーケース。
【請求項６】
前記カメラは、単一のカメラであることを特徴とする請求項２乃至５の何れか一項に記載のオープンショーケース。
【請求項７】
前記カメラは、前記陳列室内の複数段の各棚板の下面にそれぞれ設けられたことを特徴とする請求項１に記載のオープンショーケース。
【請求項８】
前記カメラは、前記陳列室内の側板に設けられたことを特徴とする請求項１に記載のオープンショーケース。
【発明の詳細な説明】
【技術分野】
【０００１】
本発明は、陳列室内を撮影するカメラを搭載したオープンショーケースに関する。
【背景技術】
【０００２】
従来、スーパーマーケット、コンビニエンス・ストア等において使用されるオープンショーケースが知られている（例えば、特許文献１を参照）。
近年では、家庭において、「段取り上手で時短」「食材使い切り」「簡単美味しい」をテーマに日常の食生活の課題や、お悩みごとの解決をサポートするための、「ウィークックナビ」などが提案されている。
また、近年では、「ウィークックナビ」と併せて、スーパーマーケット等の店頭商品を確認しながら、商品をネット通販するバーチャル＆リアルの融合などが提案されている。
【先行技術文献】
【特許文献】
【０００３】
【特許文献１】特開２０１６−１０６８２８
【発明の概要】
【発明が解決しようとする課題】
【０００４】
しかし、スーパーマーケット等の店頭商品を確認する場合、従来型のオープンショーケースでは、複数段の棚板上に陳列された、店頭商品の残数量や、商品種別などを適宜に確認できず、この点に関し、未だ改善の余地があった。
本発明は、上述した事情に鑑みてなされたものであり、複数段の棚板上に陳列された、店頭商品の残数量や、商品種別などを適宜に確認できるオープンショーケースを提供することにある。
【課題を解決するための手段】
【０００５】
本発明は、複数段の棚板上に商品を陳列し、前記商品を陳列した陳列室内を照明する照明器を備えたオープンショーケースにおいて、少なくとも前記陳列室内の複数段の各棚板の前端領域を撮影可能なカメラを備えたことを特徴とする。
【発明の効果】
【０００６】
本発明によれば、カメラが、陳列室内の複数段の各棚板の前端領域を撮影するため、複数段の棚板上に陳列された、店頭商品の残数量や、商品種別などを適宜に確認することができる。
【図面の簡単な説明】
【０００７】
【図１】本発明の実施形態に係るオープンショーケースの正面図
【図２】オープンショーケースの断面図
【図３】キャノピ内部の斜視図
【図４】キャノピにカメラを取り付けた別の実施形態に係る模式図
【発明を実施するための形態】
【０００８】
第１の発明は、複数段の棚板上に商品を陳列し、前記商品を陳列した陳列室内を照明する照明器を備えたオープンショーケースにおいて、少なくとも前記陳列室内の複数段の各棚板の前端領域を撮影可能なカメラを備えたことを特徴とする。
上記発明によれば、前記カメラが、前記陳列室内の複数段の各棚板の前端領域を撮影するため、複数段の棚板上に陳列された、店頭商品の残数量や、商品種別などを適宜に確認することができる。
【０００９】
第２の発明は、前記照明器をキャノピの内側に備え、前記カメラは、前記キャノピの下端部、または、前記キャノピの内側に設けられ、前記照明器が照明する陳列室内を撮影することを特徴とする。
上記発明によれば、カメラを、棚下や側板に比べ冷却による温度影響を受けにくい位置に配置できる。
【００１０】
第３の発明は、第２の発明において、前記キャノピは、前壁と、後壁と、天壁と、を備え、前記照明器を、前記キャノピの前壁または天壁に備え、前記カメラを、前記照明器よりも前方に備えたことを特徴とする。
上記発明によれば、カメラを、照明器よりも前方に備えたため、照明器の照射光が、カメラに入りにくい。したがって、カメラで撮影した画像が乱れにくい。
【００１１】
第４の発明は、第２又は第３の発明において、前記照明器が、前記キャノピの内側に複数本配置され、前記カメラが、複数本の照明器の間に配置されることを特徴とする。
上記発明によれば、照明器が陳列室を照明する範囲をより撮影しやすい位置にカメラを配置できる。実験によると、カメラが、複数本の照明器の間に配置された場合が、最も良好に、商品撮影が行えた。
【００１２】
第５の発明は、第２乃至第４の発明において、前記カメラが、角度調整が自在の固定金具により前記キャノピに固定されていることを特徴とする。
前記カメラは、若干の角度調整により視野が大きく変化する。
上記発明によれば、カメラが、角度調整が自在の固定金具によりキャノピに固定されているため、角度調整が容易である。
【００１３】
第６の発明は、第２乃至第５の発明において、前記カメラは、単一のカメラであることを特徴とする。
上記発明によれば、１つのカメラで各棚板の前端領域を撮影可能となる。また、カメラの数が１つであるため、照明配置への影響を少なくでき、照明配置の自由度が上がる。
【００１４】
第７の発明は、第１の発明において、前記カメラは、前記陳列室内の複数段の各棚板の下面にそれぞれ設けられたことを特徴とする。
上記発明によれば、各棚板の前端領域以外も撮影可能となる。また、カメラが照明器による照明を遮ることを抑制でき、照射効果への影響を抑制できる。
【００１５】
第８の発明は、第１の発明において、前記カメラは、前記陳列室内の側板に設けられたことを特徴とする。
上記発明によれば、カメラが照明器による照明を遮ることを抑制でき、照射効果への影響を抑制できる。
【００１６】
以下、本発明に係るオープンショーケースの一実施形態について、図面を参照して、説明する。図１は、オープンショーケース１の正面図である。図２はオープンショーケース１の側面断面図である。本実施形態のオープンショーケース１は、コンビニエンス・ストアやスーパーマーケットなどの店舗内に据え付けられるものである。
図１におけるオープンショーケース１の正面視を基準として、右側を右、左側を左、上側を上、下側を下、奥側を後、手前側を前、と定義する。また、オープンショーケース１における前後の方向を奥行き方向とし、オープンショーケース１における左右の方向を幅方向とし、オープンショーケース１における上下の方向を高さ方向とする。
【００１７】
図２に示すように、オープンショーケース１は断熱壁１０を備える。断熱壁１０は、前面が開口し、上面、背面および下面を覆う。断熱壁１０の外面側には、据え付け現場において、図１に示すように、断熱性の側板１１が取り付けられる。
断熱壁１０の内側の背面には、図２に示すように、断熱壁１０に対して所定の間隙Ｗを有するように内側パネル１２が設けられる。内側パネル１２の下端には、デッキパン２０が配置される。内側パネル１２およびデッキパン２０により、前面開口１３を有する陳列室１５が形成されている。
【００１８】
陳列室１５の内部には、複数段の棚板２１が設置されている。棚板２１は、陳列室１５の背面の内側パネル１２を支持するための、図示しない支柱に着脱自在に取付けられる。これら棚板２１およびデッキパン２０の上面には、商品が陳列される。
棚板２１およびデッキパン２０は、前方に引き出し自在である。棚板２１およびデッキパン２０の上面に商品を補充する際には、陳列室１５の前面開口１３より前方に、棚板２１およびデッキパン２０を引き出して補充作業を行う。なお、デッキパン２０は陳列室１５の前面開口１３の下縁に対し、所定の間隙をもって引き出される。
【００１９】
上記内側パネル１２と断熱壁１０との間、および、デッキパン２０と断熱壁１０との間には、陳列室１５内の空気を循環するためのダクト１６が形成される。
このダクト１６の上部は、略水平に延びて、吐出口２６に連通する。ダクト１６の下部は、略水平に延びて、吸込口２７に連通する。そして、デッキパン２０の下方のダクト１６には、蒸発器２８が収容されている。
蒸発器２８は、図示は省略したが、冷却機ユニットの圧縮機、凝縮器、減圧装置等に接続され、冷凍サイクルを構成する。
【００２０】
蒸発器２８と熱交換した冷気は、ダクト１６の内部を上昇し、吐出口２６から前面開口１３に向けて吹出される。前面開口１３に吐出された冷気は、吸込口２７からダクト１６の内部に吸い込まれる。
これにより、前面開口１３には冷気によるエアカーテンが形成される。冷気のエアカーテンの一部が、陳列室１５の内部に循環される。
なお、内側パネル１２には、図示しない冷気吹出口が形成される。これら冷気吹出口から吹き出される冷気と、冷気のエアカーテンの一部とにより、陳列室１５の内部が冷却されている。
【００２１】
断熱壁１０の天面には、図２に示すように、断熱壁１０の前端から前方へ突出するように、キャノピ２３が取り付けられている。キャノピ２３は、前面開口１３の全幅にわたって取り付けられている。
【００２２】
キャノピ２３は、前壁２３Ａと、後壁２３Ｂと、前壁２３Ａおよび後壁２３Ｂをつなぐ天壁２３Ｃと、を備える。天壁２３Ｃは、水平に延びた天面３１と、天面３１の前部に位置し、下り傾斜する傾斜面３２と、を備える。
キャノピ２３の後壁２３Ｂの前面には、図１に示すように、操作パネル２５が取り付けられる。この操作パネル２５には、陳列室１５の内部温度を計測する温度計や、各種の操作ボタンが取り付けられる。
【００２３】
図２および図３に示すように、天壁２３Ｃの傾斜面３２であって、奥行き方向の中央部には、ＬＥＤ照明灯（照明器）２４が取り付けられている。このＬＥＤ照明灯２４は、図１に示すように、キャノピ２３の幅方向に延びており、キャノピ２３の幅方向の中央部を除いて、左右対称に２か所にわたって設けられる。
ＬＥＤ照明灯２４は、図２の陳列室１５内に斜線で示すように、陳列室１５の内部のほぼ全域を照明可能に設定される。そして、ＬＥＤ照明灯２４は、少なくとも各棚板２１の前端部に配置される商品を照明する。
【００２４】
天壁２３Ｃの傾斜面３２には、図３に示すように、開口部５２が形成される。開口部５２の内側には、カメラ５１が取付けられている。
カメラ５１は、図２に示すように、ＬＥＤ照明灯２４より前方に設けられる。カメラ５１は、キャノピ２３の幅方向の中央部に一個取付けられる。
カメラ５１は、図１に示すように、右のＬＥＤ照明灯２４と、左のＬＥＤ照明灯２４との間に取り付けられる。
このように取り付けられたカメラ５１は、ＬＥＤ照明灯２４が照明する陳列室１５内を撮影することができる。カメラ５１は、陳列室１５内の複数段の各棚板２１の前端部領域を撮影が可能である。
【００２５】
この実施形態では、カメラ５１が、図２に示すように、ＬＥＤ照明灯２４より前方に設けられるため、ＬＥＤ照明灯２４の照射光が、カメラ５１に入りにくい。したがって、カメラ５１で撮影した画像が乱れにくい。
カメラ５１は、キャノピ２３の幅方向中央部に設けられる。そのため、一個のカメラ５１により、陳列室１５の幅方向を広範囲にわたって撮影しやすい。
【００２６】
なお、カメラ５１は、幅方向において、各ＬＥＤ照明灯２４の間に配置し、かつ、各ＬＥＤ照明灯２４と横並びとなる位置に配置してもよい。
この場合、幅方向においてもＬＥＤ照明灯２４と重なる位置にカメラ５１が配置されるので、各ＬＥＤ照明灯２４が陳列室１５を照明する範囲をより撮影しやすい位置にカメラ５１を配置できる。
カメラ５１により陳列室１５をより撮影しやすい。
【００２７】
また、カメラ５１を、陳列室１５内の複数段の各棚板２１の下面にそれぞれ設けてもよい。
このとき、例えば図１に点線Ｃで示すように、カメラ５１は、各棚板２１の前端部であって、幅方向中央部に１箇所設けてもよい。また、カメラ５１は、各棚板２１の奥行き方向中央部であって、幅方向中央部に一箇所設けてもよい。
各棚板２１から意中の棚板２１を選択し、その選択した棚板２１の下面にカメラ５１を設けてもよい。
【００２８】
カメラ５１は、側板１１に設けてもよい。
このとき、例えば図１に点線Ｄで示すように、カメラ５１は、側板１１の内側上部であって、キャノピ２３の内側に設けてもよい。
【００２９】
図２に破線で示した仮想ラインＡは、キャノピ２３の後壁２３Ｂの下端最前部６０と、最上段の棚板２１の前端最上部７０と、を結ぶラインである。
カメラ５１は、天壁２３Ｃの傾斜面３２上で、仮想ラインＡと、天壁２３Ｃの傾斜面３２とが交わる位置Ｂよりも、前方に配置することが望ましい。
このようにカメラ５１を配置によれば、最上段の棚板２１に陳列される商品を含め、カメラ５１の撮影領域がキャノピ２３の後壁２３Ｂに遮られることを抑制し、陳列室１５内を広範囲にわたって撮影しやすい。
【００３０】
図２に示すように、各棚板２１は、下段に向かうにつれて、前後方向の長さが長くなることが望ましい。このようにすれば、カメラ５１は、各棚板２１の前端部に配置される、すべての商品をより撮影しやすい。
【００３１】
各棚板２１は、前下がりに形成することが望ましい。この場合、棚板２１の前部から商品が取り出されると、奥側の商品が前方に出る。カメラ５１は、各棚板２１の前端部に配置される商品を撮影できる。
【００３２】
カメラ５１は、図１に示すように、角度調整が自在の固定金具３３により、キャノピ２３の前壁２３Ａの下端に固定される。
カメラ５１は、若干の角度調整により視野が大きく変化する。
本実施形態では、角度調整が自在の固定金具３３により、カメラ５１を、前壁２３Ａに固定したため、図２に角度θで示した方向に、視野角度を自在に調整することができ、視野の調整を簡単に行うことができる。
【００３３】
本実施形態では、カメラ５１によって、陳列室１５内を常時監視し、複数段の各棚板２１の前端領域を撮影するため、スーパーマーケット等の店頭商品の残数量や、商品種別などをリアルタイムに確認できる。
したがって、カメラ５１の画像情報を、図示を省略した送信機により送信すれば、商品をネット通販するバーチャル＆リアルの融合、ネット・スーパー連携による配送提案、店員・買い物代行者による商品ピック、配送管理（トレーサビリティ）などに、有効利用できる。
【００３４】
図４は、別実施形態を示す。
図４Ａ〜図４Ｄに示すように、カメラ５１の取付け位置を変更して、カメラ５１の撮影領域が、キャノピ２３の後壁２３Ｂに遮られることなく、陳列室１５内を効果的に撮影できるか、を実験した。
【００３５】
図４Ａ、図４Ｂ、図４Ｄでは、キャノピ２３の内側にカメラ５１を配置し、図４Ｃでは、キャノピ２３の前壁２３Ａの下端縁にカメラ５１を配置している。
図４Ａ、図４Ｂでは、図１と同様に、カメラ５１は、右のＬＥＤ照明灯２４と、左のＬＥＤ照明灯２４との間に取り付けられる。図４Ａでは、カメラ５１と、ＬＥＤ照明灯２４とが完全にオーバーラップし、図４Ｂでは、カメラ５１と、ＬＥＤ照明灯２４とが一部においてオーバーラップしている。
図４Ｄでは、カメラ５１が、操作パネル２５と横並びに配置される。
【００３６】
これら実施形態では、最上段の棚板２１に陳列される商品を含め、カメラ５１の撮影領域がキャノピ２３の後壁２３Ｂに遮られることを抑制し、陳列室１５内を広範囲に撮影できる。
【００３７】
以上説明したように、本実施の形態によれば、複数段の棚板２１上に商品を陳列し、前記商品を陳列した陳列室１５内を照明するＬＥＤ照明灯（照明器）２４を備えたオープンショーケース１において、少なくとも陳列室１５内の複数段の各棚板２１の前端領域を撮影可能なカメラ５１を備えた。
これによれば、カメラ５１が、陳列室１５内の複数段の各棚板２１の前端領域を撮影するため、複数段の棚板２１上に陳列された、店頭商品の残数量や、商品種別などを適宜に確認することができる。
【００３８】
また、本実施の形態によれば、ＬＥＤ照明灯２４をキャノピ２３の内側に備え、カメラ５１は、キャノピ２３の下端部、または、キャノピ２３の内側に設けられ、ＬＥＤ照明灯２４が照明する陳列室１５内を撮影する。
これによれば、カメラ５１を、棚下や側板に比べ冷却による温度影響を受けにくい位置に配置できる。
【００３９】
また、本実施の形態によれば、キャノピ２３は、前壁２３Ａと、後壁２３Ｂと、天壁２３Ｃと、を備え、ＬＥＤ照明灯２４を、キャノピ２３の前壁２３Ａまたは天壁２３Ｃに備え、カメラ５１を、ＬＥＤ照明灯２４よりも前方に備えた。
これによれば、カメラ５１を、ＬＥＤ照明灯２４よりも前方に備えたため、ＬＥＤ照明灯２４の照射光が、カメラ５１に入りにくい。したがって、カメラ５１で撮影した画像が乱れにくい。
【００４０】
また、本実施の形態によれば、ＬＥＤ照明灯２４が、キャノピ２３の内側に複数本配置され、カメラ５１が、複数本のＬＥＤ照明灯２４の間に配置される。
これによれば、ＬＥＤ照明灯２４が陳列室１５を照明する範囲をより撮影しやすい位置にカメラ５１を配置できる。実験によると、カメラ５１が、複数本のＬＥＤ照明灯２４の間に配置された場合が、最も良好に、商品撮影が行えた。
【００４１】
また、本実施の形態によれば、カメラ５１が、角度調整が自在の固定金具３３によりキャノピ２３に固定される。
カメラ５１は、若干の角度調整により視野が大きく変化する。
そのため、本実施の形態によれば、カメラ５１が、角度調整が自在の固定金具３３によりキャノピに固定されているため、角度調整が容易である。
【００４２】
また、本実施の形態によれば、カメラ５１は、単一のカメラである。
これによれば、１つのカメラ５１で各棚板２１の前端領域を撮影可能となる。また、カメラ５１の数が１つであるため、ＬＥＤ照明灯２４の照明配置への影響を少なくでき、照明配置の自由度が上がる。
【００４３】
また、カメラ５１は、陳列室１５内の複数段の各棚板２１の下面にそれぞれ設けてもよい。
これによれば、各棚板２１の前端領域以外も撮影可能となる。また、カメラ５１がＬＥＤ照明灯２４による照明を遮ることを抑制でき、照射効果への影響を抑制できる。
【００４４】
また、カメラは、前記陳列室内の側板に設けてもよい。
これによれば、カメラ５１がＬＥＤ照明灯２４による照明を遮ることを抑制でき、照射効果への影響を抑制できる。
【００４５】
以上、一実施形態に基づいて、本発明を説明したが、本発明は、この実施形態に限定されるものではないことは明らかである。
本発明は、キャノピの内側に照明器を備える、すべてのオープンショーケースに適用することが可能である。
【符号の説明】
【００４６】
１  オープンショーケース
１１  側板
１０  断熱壁
１５  陳列室
２１  棚板
２３  キャノピ
２３Ａ  前壁
２３Ｂ  後壁
２３Ｃ  天壁
２４  ＬＥＤ照明灯（照明器）
２５  操作パネル
３１  天面
３２  傾斜面
３３  固定金具
５１  カメラ
５２  開口部
Ａ  仮想ライン
θ  角度
【図１】
2019136316.tif 000003
【図２】
2019136316.tif 000004
【図３】
2019136316.tif 000005
【図４】
2019136316.tif 000006